(57)【特許請求の範囲】
【請求項１】
開口部を有する巾着状の袋本体よりなる袋材であって、袋本体が編成した編地よりなり、袋本体の開口部に編地に挿通した吊りロープと、該吊りロープの下方に保留環を備え、
該保留環が編地に口絞りロープによって結び付けにより取り付けられていることを特徴とする袋材。
【請求項２】
開口部を有する巾着状の袋本体よりなる袋材であって、袋本体が編成した編地よりなり、袋本体の開口部に編地に挿通した吊りロープと、該吊りロープの下方に保留環を備え、
該保留環が編地に絡ませて取り付けた土台ロープを拾うようにして取り付けられていることを特徴とする袋材。
【請求項３】
開口部を有する巾着状の袋本体よりなる袋材であって、袋本体が編成した編地よりなり、袋本体の開口部に編地に挿通した吊りロープと、該吊りロープの下方に保留環を備え、
該保留環が編地に絡ませて取り付けた土台ロープと編地を共に拾うようにして取り付けられていることを特徴とする袋材。
【請求項４】
開口部を有する巾着状の袋本体よりなる袋材であって、袋本体が編成した編地よりなり、袋本体の開口部に編地に挿通した吊りロープと、該吊りロープの下方に保留環を備え、
該保留環が編地の編成組織に形成された隙間に挿通されて取り付けられていることを特徴とする袋材。
【請求項５】
開口部を有する巾着状の袋本体よりなる袋材であって、袋本体が編成した編地より
を備え、
該保留環を介して、連結ロープにより複数の袋材が、相互に連結されていることを特徴とする袋材。
【請求項６】
開口部を有する巾着状の袋本体よりなる袋材であって、袋本体が編成した編地よりなり、袋本体の開口部に編地に挿通した吊りロープと、該吊りロープの下方に保留環を備え、        
該保留環が、ループ状になったロープの両端を結んで形成され、且つ編地の編み目に挿通されて取り付けられており、
該ループ状のロープの両端又は中央部を引張って一対の引掛け部としたことを特徴とする袋材。
【発明の詳細な説明】
【技術分野】
【０００１】
本発明は、海岸、河川、湖、池等での洗堀防止、浸食防止等のために根固め工法、護床保護工、のり覆い工、水制工等の工法のために使用する袋材に関し、更に詳しくは、その中で特に、多数の袋材を相互に連結する場合、極めて連結が容易で且つ口絞りロープのずれ移動も回避できる袋材に関する。
【背景技術】
【０００２】
従来から、海岸、河川、湖、池等での洗堀防止、浸食防止等のためとして、根固め工法、護床保護工、のり覆い工、水制工等の工法（以下、単に「根固め工法」という）等の諸工法が採用されている。
この根固め工法には、玉石、割栗石、砕石等の充填材（すなわち中詰め材）を入れた袋材（通称、「ボトルユニット」、「ふとん篭」）が使用されている（特許文献１参照）。  施工現場では、この袋材に中詰材を一定量充填した後、吊り上げて施工対象となる位置に敷設することにより施工が行われる。
【０００３】
袋材は、吊り上げた場合に、袋材の底部に砕石、玉石、割栗石等の中詰材による荷重が加わっても、それに耐えるための十分な強度を備えたものとなっている。
ところで、この袋材は、多数を整列配置することで一定の広さの広範囲な領域に敷設施工することができる。
また、河川の流速に対応するため、整列配置した多数の袋材同士を連結用ロープで相互に連結して、群体にし、一塊の安定した状態に固定している。
【０００４】
具体的には、袋材の吊りロープに連結用ロープを繋いだり、或いは連結用ロープを、直接、閉じられた袋材の口部に巻回して結び付ける方法を採用している。
しかし、前者の方法では、吊りロープのループ同士を結び付けて移動しないように固定した上で連結用ロープと繋ぐ必要があるために、連結構造が複雑になりまた極端には吊りロープの結び目が解けることもある。
一方、後者の方法の連結用ロープを袋材の口部に巻回する方法では、袋材の口部が安定せず結び付けにくく、且つ連結用ロープがズレ移動し易い。
何れにしても、何れの方法とも効率良く作業するためには十分な熟練を要し、その作業時間も手間取り効率的でないという問題があった。
【０００５】
【特許文献１】特許第３６９６３８９号公報
【発明の開示】
【発明が解決しようとする課題】
【０００６】
本発明は、このような問題点を解決するためになされたものである。
すなわち、本発明の目的は、複数の袋材を相互に連結する場合に、その連結が極めて容易に行うことができ、且つ口絞りロープのずれ移動も回避できる袋材を提供することである。
【課題を解決するための手段】
【０００７】
かくして、本発明者は、このような課題背景に対して鋭意研究を重ねた結果、袋材本体に意外にも、別途、連結用のロープを挿通させるための保留環を取り付けておくことにより、連結し易い上、口絞りロープもその保留環に挿通することができてズレ移動の防止が可能であることを見出し、この知見により本発明を完成したものである。
【００１０】
すなわち、本発明は、（１）、開口部を有する巾着状の袋本体よりなる袋材であって、袋本体が編成した編地よりなり、袋本体の開口部に編地に挿通した吊りロープと、該吊りロープの下方に保留環を備え、該保留環が編地に口絞りロープによって結び付けにより取り付けられている袋材に存する。
【００１５】
また、本発明は、（２）、開口部を有する巾着状の袋本体よりなる袋材であって、袋本体が編成した編地よりなり、袋本体の開口部に編地に挿通した吊りロープと、該吊りロープの下方に保留環を備え、該保留環が編地に絡ませて取り付けた土台ロープを拾うようにして取り付けられている袋材に存する。
【００１６】
また、本発明は、（３）、開口部を有する巾着状の袋本体よりなる袋材であって、袋本体が編成した編地よりなり、袋本体の開口部に編地に挿通した吊りロープと、該吊りロープの下方に保留環を備え、該保留環が編地に絡ませて取り付けた土台ロープと編地を共に拾うようにして取り付けられている袋材に存する。
【００１７】
また、本発明は、（４）、開口部を有する巾着状の袋本体よりなる袋材であって、袋本体が編成した編地よりなり、袋本体の開口部に編地に挿通した吊りロープと、該吊りロープの下方に保留環を備え、該保留環が編地の編成組織に形成された隙間に挿通されて取り付けられている袋材に存する。
【００１８】
また、本発明は、（５）、開口部を有する巾着状の袋本体よりなる袋材であって、袋本体が編成した編地よりなり、袋本体の開口部に編地に挿通した吊りロープと、該吊りロープの下方に保留環を備え、該保留環を介して、連結ロープにより複数の袋材が、相互に連結されている袋材に存する。
【００１９】
また、本発明は、（６）、開口部を有する巾着状の袋本体よりなる袋材であって、袋本体が編成した編地よりなり、袋本体の開口部に編地に挿通した吊りロープと、該吊りロープの下方に保留環を備え、該保留環が、ループ状になったロープの両端を結んで形成され、且つ編地の編み目に挿通されて取り付けられており、該ループ状のロープの両端又は中央部を引張って一対の引掛け部とした袋材にする。
【００２０】
なお、本発明の目的に添ったものであれば、上記各発明を適宜組み合わせた構成も採用可能である。
【発明の効果】
【００２１】
本発明の袋材は、開口部を有する巾着状の袋本体よりなる袋材であって、袋本体が編成した編地よりなり、袋本体の開口部に編地に挿通した吊りロープと、該吊りロープの下方に保留環を備えたものであるので、保留環に連結用ロープを挿通することで全体を相互に結束させて、施工面に整列された袋材同士を群として効率良く連結することができる。
【００２２】
しかも、口絞りロープを保留環に挿通させながら袋材の口部に巻回することにより、口絞りロープ自体がズレ移動することがない。
また従来のように口絞りロープが編地を挿通して取り付けられるのではないため、わざわざ引き出す必要もなく、且つ袋本体の開口部を絞る際、袋本体と口絞りロープとが擦れて両方に傷が付くようなことが回避される。
また、口絞りロープを袋本体に挿通するのではないため口絞りロープの長さが必要最小限の長さでよい。
【００２３】
また保留環が編地に絡ませて取り付けた土台ロープを拾うようにして、或いは土台ロープと編地を共に拾うようにして取り付けられていることで、保留環４の袋本体に対する取付け強度は極めて大きくなる。
【発明を実施するための最良の形態】
【００２４】
以下、本発明を実施するための最良の形態を図面を用いて説明する。
図１は本発明の袋材を概略的に示す斜視図である（尚、これは未だ充填材Ｗを充填していない状態を示す。）。
この袋材Ａは、上方に開いた口部１１を有しやや狭まって底部を形成しており、全体として巾着状となっている。
袋材Ａは、編成された編地によって作られた袋本体１と、該袋本体１の編み目（網目）Ｓを挿通するようにして取り付けられた吊りロープ２を備える。
【００２５】
袋本体１の材料となる編地の形態は、例えばラッシェル編機により編成されるラッシェル編地であり、格子状に多数の矩形の編み目Ｓを有する。
また、編地を編成する編糸としては、ポリエステル繊維糸、ポリアミド繊維糸、ポリアクリル繊維糸等の合繊繊維糸、或いは、綿糸、麻糸等の天然繊維糸等が、適宜、単独又は混繊して使用される。
【００２６】
袋本体１の作り方は、例えば図２に示すように、筒状の編地の中央部を同体化して底部１２を形成したものを、底部１２を起点にして一方を被せ返すことにより２重の編地の袋本体１を形成する方法がある。
袋本体１には、充填材が口部側から充填されるが、編地が同体化した部分が底部１２となることで袋材として機能する。
【００２７】
また例えば図３に示すように、筒状の編地の中央部を底縛りロープで絞って底部１２を形成し、同様にその底部１２を起点として一方側を被せ返して２重の編地の袋本体１とする方法により形成する方法がある。
さて、本発明の袋材においては、吊りロープ２が、袋本体１の口部の編み目Ｓに挿通されて端部が結ばれてエンドレス状になっているので、口部１１の周囲から複数箇所引き出した状態にし、その部分にフックを引っ掛けて吊り上げることができる。
袋本体１は吊りロープ２の下方近傍に保留環４を備えており、該保留環４には口絞りロープ３を取り付けておくことができる。
【００２８】
保留環４は、袋本体１の編地に、直接、取り付けても良いが、後述するように口絞りロープ３を介して袋本体１の編地に結び付けることができる。
ここで、保留環４としては、袋材同士を連結した場合に十分強度に耐えるものであれば良く、
金属製リング、繊維ロープ輪、プラスチック製のリング等ループ状のものが採用される。
ここで繊維ロープ輪の場合、例えば、輪径が十数センチｃｍ、太さ（径）が十数ｍｍ程度が採用される。
【００２９】
図４は、保留環４の袋本体に対する具体的な取り付け例を概略的に説明する図である。  （Ａ）は、保留環４が金属製リングであって、袋本体の編地に挿通して取り付けられている。
（Ｂ）は、保留環４が繊維地（例えば編地、ロープ）で形成されており、これも袋本体の編地の編目に挿通して取り付けられている。
【００３０】
図５は、保留環４の袋本体に対する具体的な別の取り付け例を概略的に説明する図である。
（Ａ）は、保留環４が金属製リングであって、これは口絞りロープ３を介して袋本体に取り付けられている。
この場合、口絞りロープ３を編み目に挿通した上で保留環４を一緒に縛り付けることで、保留環４は袋本体１に取り付けられる。
（Ｂ）は、保留環４が繊維地（例えば編地、ロープ）で形成されており、これも口絞りロープ３を介して袋本体に取り付けられている。
この場合も口絞りロープ３を編み目に挿通した上で保留環４を一緒に縛り付けることで、保留環４は袋本体１に取り付けられる。
【００３１】
図６は、保留環４の袋本体に対する具体的な別の取り付け例を概略的に説明する図である。
なお編地は便宜上、一部のみを示した。
まず図６（Ａ）に示すように、ロープを絡ませるように取り付けて端部同士を結んでループ状の保留環４とする。
図において、ロープは、例えば、編み目Ｓを１つ飛びに挿通して絡ませた例で示した。
そしてこの状態で、図６（Ｂ）に示すようにループ状になったロープの両端を引っ張ると一対の引掛け部４Ａが形成される。
また図６（Ｃ）に示すようにループ状になったロープの中央部を引っ張ると一対の引掛け部４Ａが形成される。
これら引掛け部４Ａに、後述する口絞りロープ３や連結ロープ５を挿通すればよい。
【００３２】
図７は、保留環４の袋本体に対する具体的な更に別の取り付け例を概略的に説明する図である（この場合、編地は、ハニカム編み目を有する例で示した）。
図７（Ａ）及び図７（Ｂ）は、土台ロープ６を使って保留環４を袋本体の編地に取り付けた例である。
図７（Ａ）において、土台ロープ６は編地に絡ませるように取り付けられており、また保留環４は該土台ロープ６のみを拾うようにして取り付けられている。
土台ロープ６は、例えば、編み目Ｓを１つ飛びに挿通して絡ませた例で示した。
なお土台ロープ６はＵ字状にして自由端を結んでおく。
【００３３】
図７（Ｂ）において土台ロープ６は編地に絡ませるように取り付けられており、また保留環４は該土台ロープ６と編地を共に拾うようにして取り付けられている。
これらの場合、編地として編み目が例えば２５ｍｍ程度のメアイ、土台ロープ６として、例えば径が１０ｍｍ程度ポリエステル製のロープを使うと、保留環４（例えば太さが１２ｍｍ、環径が１５ｃｍ）の袋本体に対する取付け強度は極めて大きくなる。
【００３４】
図７（Ｃ）は、保留環４が編地の編成組織に形成された隙間に挿通されて取り付けられている。
編地においては、編成組織Ｈを編み込む際、菱形やハニカム形の編み目を形成するように編成することができる。
この例では更にその編成組織Ｈに隙間Ｈ１を形成するように編成し、該隙間Ｓ１に保留環４を挿通させて取り付ける。
【００３５】
ここで、袋材Ａに充填材Ｗを投入する操作方法について説明する。
図８は型枠Ｋを使って袋材Ａに玉石、割栗石、砂利石等の充填材Ｗを充填する方法を説明する図である。
袋材Ａは、円型の型枠Ｋを使って詰めるが、まず型枠Ｋの内壁に沿うようにして袋本体１を保持させておく。
この場合、袋材Ａの口部１１は型枠Ｋの上縁に沿って保持されている。
【００３６】
次に、この状態にて上方から砕石等の充填材Ｗを袋材Ａに投入する〔図８（Ａ）参照〕。
充填材Ｗの所定量を投入した後、袋材Ａの編み目Ｓに挿通された吊りロープ２の６箇所をフック（図示省略）で吊り上げる〔図８（Ｂ）参照〕。
この場合、フックの操作はクレーン等を使って行い、袋体Ａの底部が地面から少し浮上る程度まで吊り上げて袋本体の編地のたるみをなくす。
そしてフックの吊り上げにより袋材Ａの口部１１は吊りロープ２によって幾らか絞り込まれて縮小されるので、今度はその下方近くを口絞りロープ３を使って絞り込むのである〔図８（Ｃ）参照〕。
この場合、口絞りロープ３を袋材Ａの口部１１に何回も巻回することで口部１１を閉鎖するが、その際、口絞りロープ３を保留環４の中に挿通させながら巻回を行う。
口絞りロープ３は保留環４の中に通されているので、口絞りロープ３の束全体が袋材Ａに沿って移動するようなことがない。
【００３７】
保留環４が上記図４（Ａ）及び（Ｂ）のケースのように、既に袋材Ａの編み目Ｓに挿通されて取り付けられている場合は、別途用意した口絞りロープ３を取り出して使うこととなる。
以上のように袋材Ａに砕石等の充填材Ｗが投入されたら、吊り上げて、型枠Ｋより離脱させて必要な場所に移動させる（図９参照）。
【００３８】
ところで、袋材Ａの口部１１を口絞りロープ３を使って巻回して閉鎖する場合、特に保留環４が口絞りロープ３を介して取り付けられている場合、すなわち、前述の図５（Ａ）及び（Ｂ）の場合は、別途用意した口絞りロープ３を使う必要はなく、保留環４と一緒に取り付けられた口絞りロープ３をそのまま利用して袋材Ａの口部１１を閉鎖すればよく効率的である。
【００３９】
口絞りロープ３は、口部１１に対して保留環４の中を通しながら巻き付けるために、口部１１を閉鎖した後も口絞りロープ３は保留環４によって束として保持固定され上下にズレ移動することがない。
また従来のように口絞りロープが袋本体の編地を挿通して取り付けられるのではないため、袋本体の開口部を絞る際も、袋本体と口絞りロープとが擦れるようなことがなく傷が付くようなことが回避される。
そして従来のように口絞りロープを編み目から引き出すような面倒なことがない。
また、口絞りロープを袋本体の周りに挿通するのではないため、口絞りロープの長さが必要最小限の長さでよい。
因みに、製造時においても、面倒な口絞りロープの挿通が不要となり効率的である。
さて充填材Ｗが投入された袋材Ａは、施工場所の一定領域に多数整列されて敷設されるが、相互に移動しないように、次に示す連結ロープを使って群体（グループ）として連結することとなる。
【００４０】
図１０は、その多数整列されて敷設された袋材Ａの群を模式的に示したものである。
この例では、連結ロープ５は、縦方向の複数本の連結ロープ５Ｙと横方向の複数本の連結ロープ５Ｘとにより配置されている。
この縦方向と横方向の各連結ロープの交差点近傍に、丁度、袋材Ａの口部１１が位置している。
連結ロープ５に袋材Ａを連結することにより、袋材Ａは全体が群体となって連結され、袋材Ａ同士が個々にズレ移動するようなことが回避される。
【００４１】
図１１は、袋材Ａの口部１１が、保留環４及び連結ロープ５Ｙ，５Ｘを介して保持固定された状態を模式的に示した図である。
図１１（Ａ）は、連結ロープ５の交差点に保留環４が配設されているものである。
図１１（Ｂ）は、連結ロープ５を保留環４に絡ませて止めている例である。
図１１（Ｃ）は、連結ロープ５に別の縛りロープ片５１を使って結び付けた例である。
【００４２】
以上本発明を説明してきたが、本発明は上述した実施形態にのみ限定されるものではなく、その本質を逸脱しない範囲で他の種々の変形が可能であることはいうまでもない。
例えば、上述した実施形態では、袋材Ａは筒状の編地を被せ返した二重の編地からなるものを示したが、このような被せ返しを行わない一重の編地よりなる袋材Ａも当然採用可能である。
【００４３】
また、群体として多数の袋材Ａを拘束するのは縦方向の連結ロープ５Ｙと横方向の連結ロープ５Ｘを使った場合を示したが、このような縦方向や横方向の連結ロープ５Ｙ，５Ｘを使わないで、図１２に示すように、複数の袋材Ａを、保留環４を介して連結ロープ５で結び付けることも可能である。
この場合は、連結ロープ５で必要とする位置にある袋材Ａを順次連結していくことができるために整然と並んでいない場合の袋材Ａにも適用可能である。
【産業上の利用可能性】
【００４４】
本発明は多数の袋材Ａを相互に連結する場合に、極めて連結が容易な且つ口絞りロープ３のずれ移動が回避できる袋材Ａに関するものであるが、その原理を応用できる限り、根固め工法、護床保護工、のり覆い工、又は水制工等の種々の工法に適用可能であり、その利用分野は広いものである。
【図面の簡単な説明】
【００４５】
【図１】図１は本発明の袋材を概略的に示す斜視図である。
【図２】図２は、袋本体の作り方の例を示す説明図である。
【図３】図３は、袋本体の作り方の他の例を示す説明図である。
【図４】図４は、保留環の袋本体に対する具体的な取り付け例を概略的に示す図である。
【図５】図５は、保留環の袋本体に対する別の具体的な取り付け例を概略的に示す図である。
【図６】図６は、保留環の袋本体に対する具体的な別の取り付け例を概略的に説明する図である。
【図７】図７は、保留環の袋本体に対する具体的な更に別の取り付け例を概略的に説明する図である。
【図８】図８は、型枠を使った場合の袋材に砂利石等の充填材を充填する方法を説明する図である。
【図９】図９は、袋材を吊り上げた状態を示す図である。
【図１０】図１０は、多数整列されて敷設された袋材の群を模式的に示した図である。
【図１１】図１１は、袋材Ａの口部が保留環及び連結ロープを介して保持固定された状態を模式的に示した図である。
【図１２】図１２は、袋材の口部が保留環、連結ロープを介して保持固定された状態を概略的に示した図である。
【符号の説明】
【００４６】
１  袋本体
１１  口部
１２  底部
２  吊りロープ
３  口絞りロープ
４  保留環
４Ａ  引掛け部
５  連結ロープ
５Ｘ  横方向の連結ロープ
５Ｙ  縦方向の連結ロープ
５１  縛りロープ片
６  土台ロープ
Ａ  袋材
Ｈ  編成組織
Ｈ１  隙間
Ｋ  型枠
Ｓ  編み目
Ｗ  充填材（中詰材）
【図１】
0004766525.tif 000002
【図２】
0004766525.tif 000003
【図３】
0004766525.tif 000004
【図４】
0004766525.tif 000005
【図５】
0004766525.tif 000006
【図６】
0004766525.tif 000007
【図７】
0004766525.tif 000008
【図８】
0004766525.tif 000009
【図９】
0004766525.tif 000010
【図１０】
0004766525.tif 000011
【図１１】
0004766525.tif 000012
【図１２】
0004766525.tif 000013